(57)【要約】【課題】本発明の解決しようとする課題は、高い金属光沢を有する包装箱において、一般的な印刷機で製造可能であり、ＲＦＩＤタグを内包した場合であっても、その機能を阻害しない包装箱を提案するものである。【解決手段】表裏面が平滑な透明印刷基材フィルム、アルミニウム顔料を含む印刷層、接着剤層、紙層をこの順序に含む化粧板紙を成形してなる包装箱であって、前記アルミニウム顔料の粒径は、２０μｍ以下であり、アルミニウム顔料の１片の厚さは、５０ｎｍ以下であることを特徴とする包装箱である。【選択図】図１
2018008724.tif 000002
【特許請求の範囲】
【請求項１】
表裏面が平滑な透明印刷基材フィルム、アルミニウム顔料を含む印刷層、接着剤層、紙層をこの順序に含む化粧板紙を成形してなる包装箱であって、前記アルミニウム顔料の粒径は、２０μｍ以下であり、アルミニウム顔料の一片の厚さは、５０ｎｍ以下であることを特徴とする包装箱。
【請求項２】
前記アルミニウム顔料を含む印刷層は、独立した網点から構成されていることを特徴とする請求項１に記載の包装箱。
【請求項３】
請求項１または２に記載された包装箱に収納された物品に、ＲＦＩＤタグが取り付けられており、箱を開封することなく、箱の外部からタグ情報の読み取りが可能であることを特徴とする包装体。
【発明の詳細な説明】
【技術分野】
【０００１】
本発明は、包装箱に関し、特にＲＦＩＤタグを取り付けた高級な物品を収納する化粧箱であって、金属光沢を伴う外観を有する包装箱およびこれを用いた包装体に関するものである。
【背景技術】
【０００２】
高級な酒類や化粧品など、高価な物品を収納する化粧箱として、紙の表面にアルミニウム箔を貼り合わせたアルミ箔紙や、アルミニウム等の金属を蒸着した金属蒸着フィルムを台紙に貼り合わせたアルミ蒸着紙などを用いた高級紙箱が用いられている。
【０００３】
一方、高価な品物の場合、偽造や改ざんを防止するため、中身の品物にＲＦＩＤタグを装着することが行われる場合があるが、アルミ箔紙や、アルミ蒸着紙を用いた箱の場合、箱の外部からの電磁波に呼応してＲＦＩＤタグが発する微弱な電磁波が、これらの箱の金属層に遮蔽されて、ＲＦＩＤタグが機能しない場合があった。
【０００４】
電磁波が遮蔽される原因としては、これらのアルミ箔やアルミ蒸着層が、連続した長さを持った電気導通層として作用することが理由として挙げられる。そこで、電気導通経路を短くする手段として、アルミニウム箔やアルミ蒸着層に代えてアルミニウム顔料を用いた銀インキによる印刷層を用いることが検討されたが、従来のアルミニウム顔料を用いたインキ層では、アルミニウム箔やアルミニウム蒸着層に匹敵する十分な金属光沢が得られないという問題があった。
【０００５】
特許文献１に記載された包装材料は、金属顔料などを含む光沢性を有する印刷層を設けるにあたり、基材上に電離放射線硬化型樹脂層を設けることにより、より高い光沢度を有する包装材料を提供しようとするものである。
【０００６】
しかし、このような印刷物を製造するためには、多色印刷機において１色目に電離放射線硬化装置を設置しなければならないため、一般的な印刷機では製造することができなかった。
【先行技術文献】
【特許文献】
【０００７】
【特許文献１】特開２０１５−１６０６６４号公報
【発明の概要】
【発明が解決しようとする課題】
【０００８】
本発明の解決しようとする課題は、高い金属光沢を有する包装箱において、一般的な印刷機で製造可能であり、ＲＦＩＤタグを内包した場合であっても、その機能を阻害しない包装箱を提案するものである。
【課題を解決するための手段】
【０００９】
上記の課題を解決するための手段として、請求項１に記載の発明は、表裏面が平滑な透明印刷基材フィルム、アルミニウム顔料を含む印刷層、接着剤層、紙層をこの順序に含む化粧板紙を成形してなる包装箱であって、前記アルミニウム顔料の粒径は、２０μｍ以下であり、アルミニウム顔料の一片の厚さは５０ｎｍ以下であることを特徴とする包装箱である。
【００１０】
本発明に係る包装箱は、平滑な透明印刷基材フィルムの裏面に特殊なアルミニウム顔料を含む印刷層を設けたので、アルミニウム箔に匹敵する金属光沢を有し、しかも高周波を遮蔽しない。
【００１１】
また、請求項２に記載の発明は、前記アルミニウム顔料を含む印刷層が、独立した網点から構成されていることを特徴とする請求項１に記載の包装箱である。
【００１２】
また、請求項３に記載の発明は、請求項１または２に記載された包装箱に収納された物品に、ＲＦＩＤタグが取り付けられており、箱を開封することなく、箱の外部からタグ情報の読み取りが可能であることを特徴とする包装体である。
【発明の効果】
【００１３】
本発明に係る包装箱は、表裏面が平滑な透明印刷基材フィルムの裏面に、アルミニウム顔料を含む印刷層を設け、このアルミニウム顔料の粒径を２０μｍ以下、アルミニウム顔料の１片の厚さを５０ｎｍ以下としたので、アルミニウム顔料の持つ高い輝度感が十分に発揮されると共に、ＲＦＩＤタグが発する微弱な電波を遮蔽することがない。
【００１４】
この性質は、請求項２に記載の発明のように、アルミニウム顔料を含む印刷層が、独立した網点から構成されている場合には、さらに読み取りの安定性が増す。
【図面の簡単な説明】
【００１５】
【図１】図１は、本発明に係る包装箱を構成する化粧板紙の一実施態様を示した断面模式図である。
【図２】図２は、本発明に係る包装箱を構成する化粧板紙の他の実施態様を示した断面模式図である。
【図３】図３は、本発明に係る包装箱を用いた包装体の概念図である。
【発明を実施するための形態】
【００１６】
以下図面を参照しながら、本発明に係る包装箱について説明する。図１は、本発明に係る包装箱１０を構成する化粧板紙１の一実施態様を示した断面模式図である。
【００１７】
本発明に係る化粧箱は、表裏面が平滑な透明印刷基材フィルム６、アルミニウム顔料を含む印刷層４、接着剤層３、紙層２をこの順序に含む化粧板紙１を成形してなる包装箱であって、前記アルミニウム顔料の粒径が、２０μｍ以下であり、アルミニウム顔料の１片の厚さが、５０ｎｍ以下であることを特徴とする包装箱である。
【００１８】
図１に示した例では、透明印刷基材フィルム６とアルミニウム顔料を含む印刷層４との間に絵柄層５が含まれている。この他にも、必要に応じて層が追加されることがある。紙層２としても複数の層を貼り合せたものを使用することがある。
【００１９】
透明印刷基材フィルム６としては、延伸ポリエチレンテレフタレート（ＰＥＴ）樹脂フィルムや、延伸ポリプロピレン（ＰＰ）フィルム、アクリル樹脂フィルム、セルロース系樹脂フィルム、塩化ビニル樹脂フィルム等の透明フィルムが使用できる。
【００２０】
透明印刷基材フィルム６は、アルミニウム顔料を含む印刷層４の金属光沢感を十分に発揮できるように、表裏面とも極力平滑であり、光沢を有することが望ましい。
【００２１】
アルミニウム顔料としては、従来の一般的なリーフィングタイプのアルミニウム顔料でも良いが、近年、従来とは製造方法が全く異なる金属光沢感の強い特殊なアルミニウム顔料も知られている。具体的な例としては、平滑な基材上にアルミニウムを蒸着させ、蒸着膜を剥離して顔料化したものが市販されている。
【００２２】
このようなアルミニウム顔料は、個々の顔料片の厚さが数１０ｎｍと非常に薄いため、平滑なフィルム基材に印刷した場合、同一面上に整然と配列して鏡面を形成しやすい。このため、印刷法でありながら、アルミニウム箔並みの強い金属光沢が得られるのである。
【００２３】
アルミニウム顔料の粒径については、あまり粒径が大であると安定した印刷が出来ないため、２０μｍ以下が好ましい。顔料片の厚さについては、金属光沢の強さから、５０ｎｍ以下が好ましい。
【００２４】
アルミニウム顔料は、個々の粒子をアクリル樹脂のような透明性が高い樹脂でコーティングしてやるとインキに加工する際の分散性が良好となるばかりでなく、印刷層となった段階で、個々の粒子が電気的に接続し難くなる為、電気長が短くなり、ＲＦＩＤタグに用いる電波が通過しやすくなる。
【００２５】
アルミニウム顔料を含む印刷層４の厚さとしては、１〜２μｍ程度が良好である。グラビア印刷であれば、版深度として２５μｍ〜３０μｍ程度が好ましい。
【００２６】
アルミニウム顔料を含む印刷層４は、広い面積、例えば全面にべた印刷を施すことは、避けるべきである。これは顔料コストが通常の顔料よりも高価であるためであり、必要な部分だけに設けるようにする。
【００２７】
また、アルミニウム顔料を含む印刷層４は、べたで形成しないで、図２に模式的に示したように、網点で形成するようにしても良い。このようにすると高価なインキが節約できるばかりでなく、ＲＦＩＤタグに用いる電波の透過性がより高まるという利点もある。
【００２８】
図３は、本発明に係る包装箱１０を用いた包装体２０の概念図である。包装箱１０の中に収納された収納物１１に取り付けられたＲＦＩＤタグ１２に向かって包装箱の外部から参照電波１３を照射すると、微弱な反射波１４がコールバックされる。これをリーダーで解読することにより、包装箱を開封することなく収納物の真贋を判定することができる。
【００２９】
従来、化粧箱として用いられていたアルミニウム箔を張り合わせた紙箱では、微弱な電波がアルミニウム箔によって吸収されてしまうため、ＲＦＩＤタグを用いることができなかったが、本発明に係る包装箱１０においては、この問題が解消された。
【符号の説明】
【００３０】
１・・・化粧板紙
２・・・紙層
３・・・接着剤層
４・・・アルミニウム顔料を含む印刷層
５・・・絵柄層
６・・・透明印刷基材フィルム
７・・・アルミニウム顔料を含む印刷層（網点状）
１０・・・包装箱
１１・・・収納物
１２・・・ＲＦＩＤタグ
１３・・・参照波
１４・・・反射波
２０・・・包装体
【図１】
2018008724.tif 000003
【図２】
2018008724.tif 000004
【図３】
2018008724.tif 000005